(57)【要約】【課題】綴じ孔を選択的に形成することが可能であり、しかも綴じ孔形成を簡単に行えるものであり、加えて用紙の方向を考慮することなく記入やコピーやプリントなどが行える有用な用紙を提供する。【解決手段】周縁部を形成する長手方向に沿った対向する２辺１ａ、１ａの内側位置において、所定規格のリングファイルＲＦ１、ＲＦ２の、ＲＦ３の２穴タイプ、３穴タイプ、４穴タイプの３種類の綴じ具Ｔ１、Ｔ２、Ｔ３に対応する綴じ孔を形成する位置に設定した破断予定領域２ａ、２ｂ、２ｃを、２辺１ａ、１ａ間の中央部に想定される第１の中央線Ｃ１を軸として線対称となるように設定してこれら破断予定領域２ａ、２ｂ、２ｃに沿ってミシン目Ｍを形成し、さらに前記２辺１ａ、１ａに隣接する短手方向に沿った２辺１ｂ、１ｂの内側位置において、これら２辺１ｂ、１ｂの中央に位置する第２の中央線Ｃ２を軸として線対称となるように破断予定領域２５を設定してミシン目Ｍを形成している用紙。【選択図】図１
2004130758.tif 000002
【特許請求の範囲】
【請求項１】
周縁部を形成する対向する２辺の内側位置において、それら２辺間の中央部に想定される中央線を軸として線対称となるように、所定の綴じ具によって綴じられる綴じ孔に対応する破断予定領域に沿ってミシン目を形成している用紙。
【請求項２】
前記破断予定領域が、複数種類の綴じ具に対応する綴じ孔を形成し得る部位に設定されている請求項１記載の用紙。
【請求項３】
さらに、前記対向する所定の２辺と隣接する２辺のうち少なくとも一方の内側位置に、前記破断予定領域を設定している請求項１又は２記載の用紙。
【請求項４】
前記破断予定領域が、前記所定の２辺と隣接する２辺の内側位置に、これら２辺間に想定される第２の中央線を軸とした線対称な位置に形成されている請求項３記載の用紙。
【請求項５】
前記ミシン目を、マイクロミシン加工によって形成している請求項１、２、３又は４記載の用紙。
【請求項６】
前記破断予定領域が、周回した形状のものである請求項１、２、又は４記載の用紙。
【請求項７】
前記破断予定領域が、有端で且つ周回していない形状のものである請求項１、２、３、４、５又６記載の用紙。
【発明の詳細な説明】
【０００１】
【発明の属する技術分野】
本発明は、所定の綴じ具によって綴じることができるように構成した用紙に関するものである。
【０００２】
【従来の技術】
従来、コピー用紙や、レポート用紙、画用紙、模造紙などを種々の用紙を綴じる場合には、予め綴じ孔が形成されているものを使用するか、後からパンチ等によって綴じ孔を形成するようにしていた。（例えば、特許文献１及び２参照。）
【０００３】
【特許文献１】
特開２００１−３２２３３７１号公報
【特許文献２】
公開実用新案公報平１−６８８６７号公報
【０００４】
【発明が解決しようとする課題】
ところが、予め綴じ孔が形成されているものであると、その綴じ孔の周囲は、書込みに使用することができない。加えて、このような綴じ孔は、通常周縁部を構成する一辺の内側位置にのみ形成されているため、例えば、このような用紙に天地左右取り違えてコピーをしてしまうと、適正な方向で綴じることができなくなってしまうという課題を有していた。
【０００５】
一方、後からパンチで綴じ孔を形成しようとすると、その綴じ孔を形成する位置決めが面倒であり、さらに、パンチのような孔開け用の道具がない場合には、極めて難しいことであった。
【０００６】
そこで、これらの不具合を一気に解決すべく綴じ孔を選択的に形成することが可能であり、しかも綴じ孔形成を簡単に行えるものであり、加えて用紙の方向を考慮することなく記入やコピーやプリントなどが行える有用な用紙を提供する。
【０００７】
【課題を解決するための手段】
すなわち、本発明は、周縁部を形成する対向する２辺の内側位置において、それら２辺間の中央部に想定される中央線を軸として線対称となるように、所定の綴じ具によって綴じられる綴じ孔に対応する破断予定領域に沿ってミシン目を形成している用紙である。
【０００８】
なお、このような用紙としては、模造紙、画用紙、コピー用紙、ルーズリーフ、帳票用紙等綴じ具で綴じることが可能なあらゆる用紙が挙げられる。また、このような綴じ具としては、綴じ具として独立したもののみならず、開閉表紙部を有するファイルに取り付けられている綴じ具、その他伝票などを順次刺し込んでいくように構成されたようなもの等含むものとする。また、「対向する２辺」は、直線に限らない。
【０００９】
このような用紙であれば、破断予定領域を綴じ孔として利用する態様と、破断予定領域を紙面の一部として利用し用紙の全面を利用する態様とを、選択的に使い分けすることができるようになる。しかも、綴じ孔を形成する場合において、パンチなどの道具を使用することなく手で簡単に形成することができるようになる。
【００１０】
さらに、破断予定領域を、前記中央線を軸として線対称に設けるようにしているため、用紙の天地左右すなわち上下及び裏表を考慮することなく、記入、コピー、プリント等を行い、綴じ具に対応させることができるようになる。
【００１１】
また、より有用な用紙とするためには、前記ミシン目を、複数種類の綴じ具に対応する綴じ孔を構成する位置に形成することが望ましい。なお、この複数種類の綴じ具としては、例えば綴じ方式は同じリングファイル用綴じ具で、リングの数が異なるようなものや、リングファイル用綴じ具とチューブファイル用綴じ具など綴じ方式が異なるようなものが挙げられる。
横綴じ、縦綴じのどちらにも対応可能な有用なものとするためには、さらに、前記対向する所定の２辺と隣接する２辺のうち少なくとも一方の内側位置に、前記破断予定領域を設定することが望ましい。
【００１２】
なお、この所定の２辺に隣接する２辺に設定する破断予定領域としては、所定の２辺に設定した破断予定領域に対応する綴じ具と、同種の綴じ具に対応するものであっても、異種の綴じ具に対応するものであっても構わない。
さらに使用勝手を向上させるためには、前記第２のミシン目を、前記所定の２辺と隣接する２辺の内側位置に、これら２辺間に想定される第２の中央線を軸とした線対称な位置に形成することが望ましい。
【００１３】
できるだけ目出たせないようにするためには、ミシン目をマイクロミシン加工によって形成するようにすれば望ましい。
【００１４】
このようなものにおいて、ミシン目に沿った破断予定領域を、周回するように設定すれば、破断された領域が用紙から切り離されて綴じ孔が形成されることになり、綴じ具によって綴じ易いものとすることができるようになる。
【００１５】
一方、破断予定領域を、有端であり且つ周回しない形状に設定すれば、綴じ孔を形成した場合にも、切り離される部位が出ず、すなわち、廃棄物を出さないようにすることができるようになる。
【００１６】
【発明の実施の形態】
以下、本発明の一実施形態を、図面を参照して説明する。
【００１７】
この用紙１は、例えばＡ４、Ｂ５といった所定規格のサイズに設定された無地のもので、手書きを行う用紙として、またコピー用紙乃至プリンタ用紙として使用できるようにしてあるものである。
【００１８】
そして、周縁部を形成する長手方向に沿った対向する２辺１ａ、１ａ（以下長辺とする）及び、この長辺１ａ、１ａに隣接する短手方向に沿った２辺１ｂ、１ｂ（以下短辺とする）の内側位置において、所定の綴じ具によって綴じられる綴じ孔に対応する破断予定領域２に沿ってミシン目Ｍを形成している。
【００１９】
具体的には、図示例において（）内に、ａ、ｂ、ｃという符号を付して示している長辺１ａ、１ａ側に設定した破断予定領域２は、２つの長辺１ａ、１ａ間の中央に想定される中央線たる第１の中央線Ｃ１（図１において、想像線で示す）を軸として線対称な位置に設定されている。また、本実施形態においては、図２〜図４に示す所定規格のリングファイルＲＦ１、ＲＦ２、ＲＦ３の、２穴タイプ、３穴タイプ、４穴タイプの３種類の綴じ具Ｔ１、Ｔ２、Ｔ３に対応する綴じ孔を形成する位置に設定しており、１辺に沿って７つ設けている。詳述すれば、図１において破断予定領域２（ａ）、２（ａ）を、２穴タイプの綴じ具Ｔ１に対応させ、破断予定領域２（ｂ）、２（ｂ）、２（ｂ）を、３穴タイプの綴じ具Ｔ２に対応したものであり、破断予定領域２（ａ）、２（ａ）及び２（ｃ）、２（ｃ）を、４穴タイプの綴じ具Ｔ３に対応させている。なお、２穴タイプの綴じ具Ｔ１と４穴タイプの綴じ具Ｔ３とは、リングＲの間隔が同ピッチで設定されているので、兼用することができるようになっている。また、破断予定領域２ａ、２ａによって形成される綴じ孔に、図５に示しているパイプ式ファイルＰＦの綴じ具Ｔ４の綴じ杆Ｔ４１を貫通させて綴じる他、図示しない綴じ紐など種々の綴じ具に対して綴じるようにもできる。
【００２０】
また、図示例において（）内にｄを付して示している短辺１ｂ、１ｂ側に設定した破断予定領域２は、２つの短辺１ｂ、１ｂ間の中央に想定される第２の中央線Ｃ２（図１において、想像線で示す）を軸として線対称な位置に設定されている。なお、本実施形態では、破断予定領域２（ｄ）、２（ｄ）を破断予定領域２（ａ）、２（ａ）と同ピッチで設定してある。
【００２１】
さらに、本実施形態においては、前記破断予定領域２をいずれも同型状に設定しており、周回した円形状となるようにミシン目Ｍを形成して、当該破断予定領域２を用紙１から切り離せるようにしている。そして、このミシン目Ｍは、マイクロミシン加工によるものである。
【００２２】
以上のように構成した用紙１によれば、破断予定領域２のうち所望の綴じ具に対応させたもののみを切り離すようにして綴じ孔を構成して、その綴じ具に綴じることができる。一方、綴じ孔を形成しない破断予定領域２は、用紙１の紙面の一部として利用することができる。そして、どの破断予定領域２をも綴じ孔として利用しない場合には、用紙１の全面を利用することも可能である。すなわち、これらのような使用態様を選択的に使い分けすることができる有用な用紙１を提供することができる。
【００２３】
破断予定領域２に沿ってミシン目Ｍを形成しているので、綴じ孔を形成する場合において、パンチなどの道具を使用することなく手で簡単に形成することができる。
【００２４】
さらに、横綴じしようとする場合において、長辺１ａ、１ａの内側位置に設定した破断予定領域２（ａ）、２（ｂ）、２（ｃ）を、第１の中央線Ｃ１を軸として線対称に設けているので、用紙１の天地左右すなわち上下及び裏表を考慮することなく記入、コピー、プリント等を行い、綴じ具に対応させることができる。
【００２５】
また、短辺１ｂ、１ｂの内側位置にも破断予定領域２ｄを設定しているので、用紙１を、例えば図６に示したような縦綴じ用のフラットファイルＦＦの綴じ具Ｔ５に対して綴じることも可能である。そして、縦綴じする場合においても、短辺１ｂ、１ｂの内側位置に設定した破断予定領域２（ｄ）を、第１の中央線Ｃ１を軸として線対称に設けているので、用紙１の天地左右すなわち上下及び裏表を考慮することなく、記入、コピー、プリント等を行い、綴じ具に対応させることができる。
【００２６】
また、長辺１ａ、１ａ側に設定した破断予定領域２（ａ）、２（ｂ）、２（ｃ）を、綴じ具Ｔ１、Ｔ２、Ｔ３に対応可能なものとしているため、複数の綴じ具に対応できて使用勝手が良好である。
【００２７】
ミシン目Ｍをマイクロミシン加工によって形成しているので、ミシン目が目立たず、破断予定領域２を綴じ孔として利用しない場合における用紙の美観を保つことができる。
【００２８】
破断予定領域２を、周回した円形状にしたので、形成される綴じ孔が所定面積を有する円形状のものとなり、綴じ具で綴じやすい。特に、円形状をなしているので、破れにくい。
【００２９】
なお、本発明は、上記実施形態に限られない。
【００３０】
例えば、上記実施形態では、用紙１を長辺１ａ、１ａ及び短辺１ｂ、１ｂが直線をなす矩形をなす所定規格のサイズのものとしたが、この形状に限られず、周縁部を構成する辺が曲線をなすようなものであってもよい。
【００３１】
また、破断予定領域２を設定する数は、上記のものに限られないのは勿論である。例えば、さらに、他の綴じ具の綴じ孔を形成し得るものや、同種の綴じ具を別部位にも綴じられるように綴じ孔を形成するものなどを、さらに設けてあってもよい。
【００３２】
上記実施形態では、すべての破断予定領域２を同形状に設定しているが、例えば、長辺１ａ、１ａ側に設定するものと、短辺１ｂ、１ｂ側に設定するものとで異ならせるなど、異なる形状を含むようなものであってもよい。
【００３３】
また、用紙としては、図７に示すように、長辺１ａ、１ａの内側位置に、上記の破断予定領域２ａに対応した箇所にのみ形成したような用紙１０１であってもよい。
【００３４】
また、図８に示すように短辺１ｂ、１ｂ側には、破断予定領域を設定していない用紙２０１であってもよい。
【００３５】
さらに、破断予定領域としては、図９に示すような矩形状をなしさらに縦断或いは横断するミシン目Ｍを形成したもの、図１０に示すような矩形状をなすミシン目Ｍを形成したものなどが挙げられる。これらのように、周回した形状をなすものであれば、綴じ孔として所定面積を有する開口が形成されるため、綴じ具によって綴じやすいものとすることができる。
【００３６】
また、破断予定領域を、有端の周回しない形状に設定してもよい。このようなものとしては、例えば、図１１に示すような十字型をなすミシン目Ｍを形成したもの、図１２に示すような中心から放射状に広がる形状をなすミシン目Ｍを形成したものもの、図１３に示すようなＩ字型をなすミシン目Ｍを形成したものもの、図１４に示すような一辺を残した矩形状のミシン目Ｍを形成したものなど、リングファイルの綴じ具のリング、パイプ式ファイルの綴じ具の綴じ杆を差し込み可能な綴じ孔を形成し得るものであれば種々のものが挙げられる。これらのようなものであれば、綴じ孔を形成した場合に、切り離し部分が生成されないので、ゴミが出ない。
【００３７】
また、上述したような破断予定領域の何れにおいても、用紙としては、綴じて使用される可能性のある、画用紙、模造紙、ルーズリーフ等種々のものに適用されてもよい。さらに、ロール紙にも、その巻き方向に延びる対向二辺に沿って破談予定領域を設定することができ、その場合は、所定の長さで巻き方向と直交する方向に切り取ったロール紙の左右何れかにおいてファイルに綴じることが可能である。
【００３８】
その他、各部の具体的構成についても上記実施形態に限られるものではなく、本発明の趣旨を逸脱しない範囲で種々変形が可能である。
【００３９】
【発明の効果】
本発明は、以上説明したような形態で実施され、以下に記載されるような効果を奏する。
【００４０】
すなわち、本発明用紙によれば、破断予定領域を綴じ孔として利用する態様と、紙面の一部として利用する態様とを選択的に使い分けすることができる。そして、紙面の一部として利用した場合には用紙の全面を利用することができ、従来のように予め綴じ孔が開けてあるものと比較して用紙を広く有効に使用することができる。しかも、綴じ孔を形成する場合において、パンチなどの道具を使用することなく手で簡単に形成することができる。
【００４１】
さらに、破断予定領域を、前記中央線を軸として線対称に設けているため、用紙の天地左右すなわち上下及び裏表を考慮することなく、記入、コピー、プリント等を行い、綴じ具に対応させることができる。
【図面の簡単な説明】
【図１】本発明の一実施形態を示す全体平面図。
【図２】同実施形態の使用例を示す図。
【図３】同実施形態の使用例を示す図。
【図４】同実施形態の使用例を示す図。
【図５】同実施形態の使用例を示す図。
【図６】同実施形態の使用例を示す図。
【図７】同実施形態の変形例を示す図。
【図８】同実施形態の変形例を示す図。
【図９】同実施形態における破断予定領域の変形例を示す図。
【図１０】同実施形態おける破断予定領域の変形例を示す図。
【図１１】同実施形態おける破断予定領域の変形例を示す図。
【図１２】同実施形態おける破断予定領域の変形例を示す図。
【図１３】同実施形態おける破断予定領域の変形例を示す図。
【図１４】同実施形態おける破断予定領域の変形例を示す図。
【符号の説明】
１、１０１、２０１・・・用紙
１ａ・・・対向する所定の２辺（長辺）
１ｂ・・・所定の２辺に隣接する２辺（短辺）
２｛２（ａ）、２（ｂ）、２（ｃ）、２（ｄ）｝・・・破断予定領域
Ｃ１・・・中央線（第１の中央線）
Ｃ２・・・第２の中央線
Ｍ・・・ミシン目
Ｔ１、Ｔ２、Ｔ３、Ｔ４、Ｔ５・・・綴じ具
【図１】
2004130758.tif 000003
【図２】
2004130758.tif 000004
【図３】
2004130758.tif 000005
【図４】
2004130758.tif 000006
【図５】
2004130758.tif 000007
【図６】
2004130758.tif 000008
【図７】
2004130758.tif 000009
【図８】
2004130758.tif 000010
【図９】
2004130758.tif 000011
【図１０】
2004130758.tif 000012
【図１１】
2004130758.tif 000013
【図１２】
2004130758.tif 000014
【図１３】
2004130758.tif 000015
【図１４】
2004130758.tif 000016